【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
無線通信の方法であって、
第１のルールの各送信特性が第１のリンク特性しきい値を満足したかどうかに基づいてアクセスポイントと第１のデバイスとの間のプロトコルを送ることの送出／クリア要求を選択的にイネーブルすることと、ここにおいて、前記第１のルールは、アクセスポイントと前記第１のデバイスとの間のプロトコルを送ることの前記送出／クリア要求の使用をイネーブルするために１つまたは複数の通信リンク特性を含み、前記第１のルールは、前記第１のデバイスの変調およびコード化スキームがしきい値を越えるときに、アクセスポイントと前記第１のデバイスとの間のプロトコルを送ることの前記送出／クリア要求をイネーブルする、
第２のルールの各リンク特性が第２のリンク特性しきい値を満足したかどうかに基づいて前記アクセスポイントと第２のデバイスとの間の通信のためのプロトコルを送ることの前記送出／クリア要求を選択的にイネーブルすることと、ここにおいて、前記第２のルールは、前記アクセスポイントと前記第１のデバイスとの間のプロトコルを送ることの前記送出／クリア要求の使用をイネーブルするために１つまたは複数の通信リンク特性を含む、
を備える、方法。
【請求項２】
前記第１のルールおよび前記第２のルールを前記該当する第１のデバイスおよび第２のデバイスへ通信することをさらに備える、請求項１の方法。
【請求項３】
前記第１のルールおよび前記第２のルールの前記通信は、少なくとも管理フレームの通信を介する、請求項２に記載の方法。
【請求項４】
前記第１のルールおよび前記第２のルールの前記通信は、少なくともユニキャストメッセージの通信を介する、請求項２に記載の方法。
【請求項５】
前記第１のルールおよび前記第２のルールの前記通信は、前記複数のデバイスへの少なくともブロードキャストメッセージの通信を介する、請求項２に記載の方法。
【請求項６】
前記通信することは、前記第１のルールおよび前記第２のルールのうちの少なくとも１つの前記使用をイネーブルまたはディスエーブルするためのバイナリインジケータの通信を含む、請求項２に記載の方法。
【請求項７】
前記通信することは、前記第１のルールおよび前記第２のルールのうちの少なくとも１つの使用のための時間期間インジケータの通信を含む、請求項２に記載の方法。
【請求項８】
前記第１のルールおよび前記第２のルールにそれぞれ基づいて前記第１のデバイスおよび前記第２のデバイスのうちの少なくとも１つからメッセージを送る要求を受信することをさらに備え、ここにおいて、前記第１のルールおよび前記第２のルールの通信リンク特性が異なる、請求項１に記載の方法。
【請求項９】
前記第２のルールは、プロトコルを送ることの前記送出／クリア要求がディスエーブルされるときに、プロトコルを送ることの前記送出／クリア要求をイネーブルし、前記第２のデバイスは、ビーム形成された送信を送信している、請求項１に記載の方法。
【請求項１０】
無線通信の装置であって、
通信リンク特性に関連するデータを記憶するように構成されるメモリと、
第１のルールの各送信特性が第１のリンク特性しきい値を満足したかどうかに基づいてアクセスポイントと第１のデバイスとの間の通信のためのプロトコルを送ることの送出／クリア要求を選択的にイネーブルすることと、ここにおいて、前記第１のルールは、アクセスポイントと前記第１のデバイスとの間のプロトコルを送ることの前記送出／クリア要求の使用をイネーブルするために１つまたは複数の通信リンク特性を含み、前記第１のルールは、前記第１のデバイスの変調およびコード化スキームがしきい値を越えるときに、アクセスポイントと前記第１のデバイスとの間のプロトコルを送ることの前記送出／クリア要求をイネーブルする、
第２のルールの各リンク特性が第２のリンク特性しきい値を満足したかどうかに基づいて前記アクセスポイントと第２のデバイスとの間の通信のためのプロトコルを送ることの前記送出／クリア要求を選択的にイネーブルすることと、ここにおいて、前記第２のルールは、前記アクセスポイントと前記第１のデバイスとの間のプロトコルを送ることの前記送出／クリア要求の使用をイネーブルするために１つまたは複数の通信リンク特性を含む、
をするように構成される電子ハードウェアプロセッサと
を備える、装置。
【請求項１１】
前記第１のルールおよび前記第２のルールを前記該当する第１のデバイスおよび第２のデバイスへ通信するように構成される送信機をさらに備える、請求項１０に記載の装置。
【請求項１２】
前記送信機は、前記第１のルールおよび前記第２のルールのうちの少なくとも１つを少なくとも管理フレームを介して通信するようにさらに構成される、請求項１１に記載の装置。
【請求項１３】
前記送信機は、前記第１のルールおよび前記第２のルールのうちの少なくとも１つを少なくともユニキャストメッセージを介して通信するようにさらに構成される、請求項１１に記載の装置。
【請求項１４】
前記送信機は、前記第１のルールおよび前記第２のルールのうちの少なくとも１つを前記複数のデバイスへの少なくともブロードキャストメッセージを介して通信するようにさらに構成される、請求項１１に記載の装置。
【請求項１５】
前記送信機は、前記第１のルールおよび前記第２のルールのうちの少なくとも１つの前記使用をイネーブルまたはディスエーブルするためのバイナリインジケータを通信するようにさらに構成される、請求項１１に記載の装置。
【請求項１６】
前記送信機は、前記第１のルールおよび前記第２のルールのうちの少なくとも１つの使用のための時間期間インジケータを通信するようにさらに構成される、請求項１１に記載の装置。
【請求項１７】
前記第１のルールおよび前記第２のルールにそれぞれ基づいて前記第１のデバイスおよび前記第２のデバイスのうちの少なくとも１つからメッセージを送る要求を受信するように構成される受信機をさらに備え、ここにおいて、前記第１のルールおよび前記第２のルールの通信リンク特性が異なる、請求項１０に記載の装置。
【請求項１８】
前記第１のルールおよび前記第２のルールは、パケット誤り率しきい値よりも大きいパケット誤り率を備える、請求項１０に記載の装置。
【請求項１９】
前記第２のルールは、プロトコルを送ることの前記送出／クリア要求がディスエーブルされるときに、プロトコルを送ることの前記送出／クリア要求をイネーブルし、前記第２のデバイスは、ビーム形成された送信を送信している、請求項１０に記載の装置。
【請求項２０】
無線通信の装置であって、
第１のルールの各送信特性が第１のリンク特性しきい値を満足したかどうかに基づいてアクセスポイントと第１のデバイスとの間のプロトコルを送ることの送出／クリア要求を選択的にイネーブルするための手段と、ここにおいて、前記第１のルールは、アクセスポイントと前記第１のデバイスとの間のプロトコルを送ることの前記送出／クリア要求の使用をイネーブルするために１つまたは複数の通信リンク特性を含み、前記第１のルールは、前記第１のデバイスの変調およびコード化スキームがしきい値を越えるときに、アクセスポイントと前記第１のデバイスとの間のプロトコルを送ることの前記送出／クリア要求をイネーブルする、
第２のルールの各リンク特性が第２のリンク特性しきい値を満足したかどうかに基づいて前記アクセスポイントと第２のデバイスとの間のプロトコルを送ることの前記送出／クリア要求を選択的にイネーブルするための手段と、ここにおいて、前記第２のルールは、前記アクセスポイントと前記第１のデバイスとの間のプロトコルを送ることの前記送出／クリア要求の使用をイネーブルするために１つまたは複数の通信リンク特性を含む、
を備える、装置。
【請求項２１】
選択的にイネーブルするための前記手段および識別するための手段は、プロセッサを備える、請求項２０に記載の装置。
【請求項２２】
前記第１のルールおよび前記第２のルールを前記該当する第１のデバイスおよび第２のデバイスへ通信するための手段をさらに備える、請求項２０に記載の装置。
【請求項２３】
前記通信するための手段は、前記第１のルールおよび前記第２のルールを少なくとも管理フレームを介して通信するように構成される、請求項２２に記載の装置。
【請求項２４】
前記通信するための手段は、前記第１のルールおよび前記第２のルールを少なくともユニキャストメッセージを介して通信するように構成される、請求項２２に記載の装置。
【請求項２５】
前記通信するための手段は、前記第１のルールおよび前記第２のルールを前記複数のデバイスへの少なくともブロードキャストメッセージを介して通信するように構成される、請求項２２に記載の装置。
【請求項２６】
前記通信するための手段は、前記第１のルールおよび前記第２のルールのうちの少なくとも１つの前記使用をイネーブルまたはディスエーブルするためのバイナリインジケータを含むように構成される、請求項２２に記載の装置。
【請求項２７】
前記通信するための手段は、前記第１のルールおよび前記第２のルールのうちの少なくとも１つの使用のための時間期間インジケータを含むように構成される、請求項２２に記載の装置。
【請求項２８】
前記第１のルールおよび前記第２のルールにそれぞれ基づいて前記第１のデバイスおよび前記第２のデバイスのうちの少なくとも１つからメッセージを送る要求を受信するための手段をさらに備え、ここにおいて、前記第１のルールおよび前記第２のルールの通信リンク特性が異なる、請求項２０に記載の装置。
【請求項２９】
前記第１のルールは、
前記第１のルールによって示されるアクセスクラスのセット内にある前記第１のデバイスのアクセスクラスを備える、請求項２０に記載の装置。
【請求項３０】
命令を収容する非一時的コンピュータ可読媒体であって、
前記命令は、実行されたとき、コンピュータに、
第１のルールの各送信特性が第１のリンク特性しきい値を満足したかどうかに基づいてアクセスポイントと第１のデバイスとの間のプロトコルを送ることの送出／クリア要求を選択的にイネーブルすることと、ここにおいて、前記第１のルールは、アクセスポイントと前記第１のデバイスとの間のプロトコルを送ることの前記送出／クリア要求の使用をイネーブルするために１つまたは複数の通信リンク特性を含み、前記第１のルールは、前記第１のデバイスの変調およびコード化スキームがしきい値を越えるときに、アクセスポイントと前記第１のデバイスとの間のプロトコルを送ることの前記送出／クリア要求をイネーブルする、
第２のルールの各リンク特性が第２のリンク特性しきい値を満足したかどうかに基づいて前記アクセスポイントと第２のデバイスとの間のプロトコルを送ることの前記送出／クリア要求を選択的にイネーブルすることと、ここにおいて、前記第２のルールは、前記アクセスポイントと前記第１のデバイスとの間のプロトコルを送ることの前記送出／クリア要求の使用をイネーブルするために１つまたは複数の通信リンク特性を含む、
をさせる、非一時的コンピュータ可読媒体。
【請求項３１】
前記第１のルールおよび前記第２のルールを前記該当する第１のデバイスおよび第２のデバイスへ通信することをコンピュータにさせるようにさらに構成される、請求項３０に記載の非一時的コンピュータ可読媒体。
【請求項３２】
前記第１のルールおよび前記第２のルールを少なくとも管理フレームを介してコンピュータに通信させるようにさらに構成される、請求項３１に記載の非一時的コンピュータ可読媒体。
【請求項３３】
前記第１のルールおよび前記第２のルールを少なくともユニキャストメッセージを介してコンピュータに通信させるようにさらに構成される、請求項３１に記載の非一時的コンピュータ可読媒体。
【請求項３４】
前記第１のルールおよび前記第２のルールを前記複数のデバイスへの少なくともブロードキャストメッセージを介してコンピュータに通信させるようにさらに構成される、請求項３１に記載の非一時的コンピュータ可読媒体。
【請求項３５】
前記第１のルールおよび前記第２のルールのうちの少なくとも１つの前記使用をイネーブルまたはディスエーブルするためのバイナリインジケータを含むことをコンピュータにさせるようにさらに構成される、請求項３１に記載の非一時的コンピュータ可読媒体。
【請求項３６】
前記第１のルールおよび前記第２のルールのうちの少なくとも１つの使用のための時間期間インジケータを含むことをコンピュータにさせるようにさらに構成される、請求項３１に記載の非一時的コンピュータ可読媒体。
【請求項３７】
前記第１のルールおよび前記第２のルールにそれぞれ基づいて前記第１のデバイスおよび前記第２のデバイスのうちの少なくとも１つからメッセージを送る要求を受信することをコンピュータにさせるようにさらに構成され、ここにおいて、前記第１のルールおよび前記第２のルールの通信リンク特性が異なる、請求項３０に記載の非一時的コンピュータ可読媒体。
【請求項３８】
前記第２のルールは、プロトコルを送ることの前記送出／クリア要求がディスエーブルされるときに、プロトコルを送ることの前記送出／クリア要求をイネーブルし、前記第２のデバイスは、ビーム形成された送信を送信している、請求項３０に記載の非一時的コンピュータ可読媒体。